(57)【要約】【課題】表側フィルムと裏側フィルムとを溶着、切断して形成されたパウチの開口部の密着を取り除くパウチの開口装置を提供する。【解決手段】表側フィルムと裏側フィルムとを溶着、切断して形成したパウチ（１０１）の開口部（１０１ａ）の密着を取り除くパウチの開口装置（９）であって、パウチ（１０１）を搬送する搬送部（２０）と、搬送部（２０）の下流側にパウチ（１０１）の開口部（１０１ａ）を撓み曲げて開口する撓み曲げ部（３０）とを有する構成となる。【選択図】図２
2017206292.tif 000002
【特許請求の範囲】
【請求項１】
表側フィルムと裏側フィルムとを溶着、切断して形成したパウチの開口部の密着を取り除くパウチの開口装置であって、
前記パウチを搬送する搬送部と、
前記搬送部の下流側に、前記パウチの開口部を撓み曲げて開口する撓み曲げ部と、
を有するパウチの開口装置。
【請求項２】
前記撓み曲げ部は、上部搬送ローラ及び下部搬送ローラを備え、
前記上部搬送ローラの環状押圧部と前記下部搬送ローラの環状押圧部とで前記パウチを撓み曲げて挟持搬送する請求項１に記載のパウチの開口装置。
【請求項３】
前記環状押圧部は、前記上部搬送ローラ及び前記下部搬送ローラの外周面に装着された弾性体リングである請求項２に記載のパウチの開口装置。
【請求項４】
前記上部搬送ローラが上部シャフト、前記下部搬送ローラが下部シャフトに装着され、前記上部搬送ローラの外周面の中央に環状押圧部、前記下部搬送ローラの少なくとも外周面の両端に環状押圧部を有し、前記上部搬送ローラの環状押圧部間の下方に、前記下部搬送ローラの環状押圧部が位置する請求項２または３に記載のパウチの開口装置。
【発明の詳細な説明】
【技術分野】
【０００１】
本発明は、表側フィルムと裏側フィルムとを溶着、切断して形成したパウチの開口部の密着を取り除くパウチの開口装置に関する。
【背景技術】
【０００２】
スープ類、液体調味料等の容器としてパウチが広く使用されている。パウチは、表側フィルムと裏側フィルムとを熱溶着、切断して袋体に形成され、例えば図５Ａ、図５Ｂに示すパウチが知られている。
【０００３】
図５Ａにおいて、パウチ１００は、図示しないが、フィルムがロール状に巻かれた原反ロールからそれぞれ巻き出された表側長尺フィルムと、裏側長尺フィルムとを重ね合わせて搬送し、底シールバー及びサイドシールバーにより所定シール部位を熱溶着し、レザーカッター及びシャーカッターによる切断を行う製袋装置によって製造される（特許文献１参照）。また、レザーカッターによりフィルムの搬送方向に開口部１００ａ、底部シール部１００ｂ、シャーカッターによりフィルムの搬送方向の直交方向にサイドシール部１００ｃ１、１００ｃ２が形成される。
【０００４】
一方、図５Ｂのパウチ１０１は、同様に、フィルムがロール状に巻かれた原反ロールからそれぞれ巻き出された表側長尺フィルムと、裏側長尺フィルムとを重ね合わせて搬送し、底シールバー及びサイドシールバーにより所定シール部位を熱溶着し、レザーカッター及びシャーカッターによる切断を行う製袋装置によって製造される。また、図示しないが、レザーカッターによりフィルムの搬送方向にサイドシール部１０１ｃ１、１０１ｃ２、フィルムの搬送方向の直交方向に開口部１０１ａ、底部シール部１０１ｂが形成される。
【０００５】
このようなパウチ１００、１０１のフィルムとして、パウチの引き裂きをノッチ１００ｄ、１０１ｄから容易に行うため、例えば直進カット性ナイロンフィルムが使用される場合があり、この直進カット性ナイロンフィルムは、フィルムの搬送方向（製袋時のパウチの搬送方向）に対して平行に引き裂くときの直進性を高めており、このフィルムを使用する際は、パウチの開封方向と製袋時のフィルムの搬送方向を揃える必要が有る。
【０００６】
そして、図５Ａに示すパウチ１００は、短辺側の開口部１００ａで充填、密封し、長辺側のノッチ１００ｄから短辺方向に沿って引き裂いて開封するパウチとされており、開口部１００ａがフィルムの搬送方向に、サイドシール部１００ｃ１、１００ｃ２が搬送方向の直交方向に向く、縦向きに配置される。
【０００７】
一方、図５Ｂに示すパウチ１０１は、短辺側の開口部１０１ａで充填、密封し、短辺側のノッチ１０１ｄから長辺方向に沿って引き裂いて開口部を大きくして開封するパウチとされており、このようなパウチ１０１の製造に際しては、図５Ｂに示すように開口部１０１ａがフィルムの搬送方向の直交方向に、サイドシール部１０１ｃ１、１０１ｃ２が搬送方向に向く、横向きに配置される。
【先行技術文献】
【特許文献】
【０００８】
【特許文献１】特開２０１２−２２４０３０号公報
【発明の概要】
【発明が解決しようとする課題】
【０００９】
前述したパウチ１００、１０１の製造に際しては、一般的にフィルムの搬送方向の切断工程はレザー刃等の固定刃で、フィルムの搬送方向の直交方向の切断は上下動するシャーカッター等の押し切り刃でそれぞれ行われる。そして、パウチ１００の切断工程においては、開口部１００ａと底部シール部１００ｂの切断が固定刃で、サイドシール部１００ｃ１と１００ｃ２の切断が押し切り刃で行われる。このため、パウチ１００の開口部１００ａは、その切断端面のフィルム同士が密着することはない。
【００１０】
一方、パウチ１０１の切断工程においては、サイドシール部１０１ｃ１と１０１ｃ２の切断がレザー刃等の固定刃で、開口部１０１ａと底部シール部１０１ｂの切断が押し切りのシャーカッター等の押し切り刃で行われる。このため、パウチ１０１の開口部１０１ａの切断端面のフィルム同士が密着し、内容物の充填時にパウチ１０１の開口部１０１ａを開口する際に開口性が低下する。特にパウチ１０１に使用されるフィルムが厚くなると、開口部１０１ａのフィルム同士が密着し、開口部１０１ａの開口性が低下して、開口不良を発生する。このため、押し切りのシャーカッター等の押し切り刃により生じたパウチ１０１の開口部１０１ａの密着を、手作業でもみほぐす、或いは他の手段を用いて取り除く必要があり、多大な手間とコスト増を招いていた。
【００１１】
従って本発明は、表側フィルムと裏側フィルムとを溶着、切断して形成されたパウチの開口部の密着を取り除くパウチの開口装置の提供を目的とする。
【課題を解決するための手段】
【００１２】
上記課題を解決するために本発明に係るパウチの開口装置は、表側フィルムと裏側フィルムとを溶着、切断して形成したパウチの開口部の密着を取り除くパウチの開口装置であって、前記パウチを搬送する搬送部と、前記搬送部の下流側に、前記パウチの開口部を撓み曲げる撓み曲げ部とを有する構成である。
【発明の効果】
【００１３】
本発明のパウチの開口装置によれば、表側フィルムと裏側フィルムとを溶着、切断して形成したパウチを搬送し、撓み曲げ部で、パウチの開口部を撓み曲げるので、開口部の表側フィルムと裏側フィルムとにズレを生じさせて開口し、開口部の密着を取り除くことができる。これにより、パウチへの内容物の充填時に、開口部の開口性の低下、開口不良の発生を防止することができる。また、パウチの開口部の開口性の低下、開口不良の発生を防止するための多大な手間とコスト増を不要とすることができる。
【図面の簡単な説明】
【００１４】
【図１】本発明の実施の形態に係るパウチの開口装置を備える製袋装置の一部を示す概略斜視図である。
【図２】本発明の実施の形態に係るパウチの開口装置の参考斜視図である。
【図３】本発明の実施の形態に係るパウチの開口装置の参考平面図である。
【図４】本発明の実施の形態に係るパウチの開口装置における上部搬送ローラと下部搬送ローラによるパウチの開口部の撓み曲げ状態を示す説明図である。
【図５Ａ】長辺側のノッチから開封し、短辺方向に沿って引き裂くパウチの正面図である。
【図５Ｂ】短辺側のノッチから開封し、長辺方向に沿って引き裂くパウチの正面図である。
【発明を実施するための形態】
【００１５】
本発明の実施の形態について図面を用いて説明する。
【００１６】
図１に示すように、本実施形態に係るパウチの開口装置９は、表側長尺フィルム１１と裏側長尺フィルム１２を熱溶着、切断によりパウチ１０１（図５Ｂ参照）を製造する製袋装置１において、パウチ１０１の開口部１０１ａの密着を取り除く装置として使用される。
【００１７】
製袋装置１は、表側長尺フィルム１１（パウチ１０１の表側フィルム１０１ｅに相当）と裏側長尺フィルム１２（パウチ１０１の裏側フィルム１０１ｆに相当）をそれぞれ供給する原反ロール（不図示）と、この原反ロールから供給された表側長尺フィルム１１と裏側長尺フィルム１２とを重ね合わせて搬送する、上下一対の挟持搬送ローラ２と、挟持搬送ローラ２により重ねて搬送された表側長尺フィルム１１と裏側長尺フィルム１２の所定シール部分を熱溶着により長尺フィルム溶着体１３を形成する４対のサイドシールバー３と、２対の底シールバー４を有する。さらに、製袋装置１は、熱溶着により形成された長尺フィルム溶着体１３を支持、搬送する搬送ローラ５と、長尺フィルム溶着体１３を搬送方向に切断して帯状体１４とするレザーカッター６と、帯状体１４を挟持搬送する挟持搬送ローラ（ピンチローラ）７と、帯状体１４をその搬送方向と直交方向に切断し、個々のパウチ１０１とするシャーカッター８（パウチ１０１を３袋ずつ製造）と、パウチ１０１を搬送し、シャーカッター８の切断により形成されたパウチ１０１の開口部１０１ａの密着を取り除くパウチの開口装置９と、個々のパウチ１０１を搬出する搬出部１０と、を有する。尚、前述したシャーカッター８の切断は、パウチ１０１の底部シール部１００ｂを前に、開口部１００ａを後ろとしてパウチの開口装置９に搬送されるように行われる。このようにパウチ１０１をパウチの開口装置９に搬送することにより、パウチ１０１内への空気の流入がなくなり、開口装置９による開口部１００ａの撓み曲げ時のしわ、パウチ１０１の函詰め時のしわが防止される。
【００１８】
上記したパウチの開口装置９は、シャーカッター８による切断で形成された個々のパウチ１０１を装置内に搬送しつつ撓み曲げ、パウチ１０１の表側フィルム１０１ｅと裏側フィルム１０１ｆとにズレを生じさせて開口し、シャーカッター８の切断により生じたパウチの開口部１０１ａの密着を取り除く。
【００１９】
パウチの開口装置９について、図２乃至図４を参照して説明する。なお、図２はシャーカッター８側から見たパウチの開口装置９の参考斜視図である。パウチの開口装置９は、シャーカッター８により切断して形成した個々のパウチ１０１を載置して搬送する搬送部２０と、搬送部２０により搬送されるパウチ１０１を上下ローラの挟持搬送により、開口部１０１ａの開口幅方向（開口部１０１ａの一端から他端へ向かう方向）において、上下方向に撓み曲げる撓み曲げ部３０とを有する。
【００２０】
搬送部２０は、パウチ１０１の搬送方向（矢示方向１０Ａ）と直交方向に伸長し、平行に配置された上流側シャフト２１、下流側シャフト２２と、このシャフト２１、２２にそれぞれ等間隔に装着された複数の搬送ローラ２３、２４と、上流側シャフト２１の搬送ローラ２３、下流側シャフト２２の搬送ローラ２４間のそれぞれにパウチ１０１を下流側の撓み曲げ部３０に搬送する２本の無端ベルトから成る搬送ベルト２５が装着され、シャフト２１、２２を回転駆動させる駆動部（不図示）を有する。
【００２１】
尚、搬送ローラ２３、２４は、上流側シャフト２１、下流側シャフト２２の所定位置に適宜装着されているが、他の位置に移動させることができる。これにより、パウチのサイズに応じて搬送ローラ２３、２４を搬送に適した所定位置に移動させることができる。
【００２２】
搬送部２０の下流側の撓み曲げ部３０は、パウチ１０１の搬送方向と直交方向に伸長し、上下平行に配置された上部シャフト３１、下部シャフト３２と、上部シャフト３１に装着された上部搬送ローラ３３と、下部シャフト３２に装着された下部搬送ローラ３４と、シャフト３１、３２を連動させて回転駆動させる駆動部（不図示）とを有する。
【００２３】
撓み曲げ部３０においては、図４に示すように、上部シャフト３１に装着された上部搬送ローラ３３と、下部シャフト３２に装着された下部搬送ローラ３４とがパウチ１０１の開口部１０１ａを押圧して上下方向に撓み曲げて挟持搬送する。また、上部搬送ローラ３３の外周面の中央にシリコンゴム等の弾性体リング（環状押圧部）３５が装着され、下部搬送ローラ３４の少なくとも外周面の両端にシリコンゴム等の弾性体リング（環状押圧部）３５が装着されている。さらに、上部搬送ローラ３３と下部搬送ローラ３４のシャフト３１、３２への装着は、隣り合う上部搬送ローラ３３の弾性体リング３５間の下方に、下部搬送ローラ３４の弾性体リング３５が位置するように装着されている。このように、上部搬送ローラ３３の弾性体リング３５間に、下部搬送ローラ３４の複数の弾性体リング３５を複数配置することで、パウチ１０１にかかる衝撃を軽減するように支持し、開口部１０１ａを安定して撓み曲げることができる。
【００２４】
尚、上部搬送ローラ３３及び下部搬送ローラ３４は、上部シャフト３１、下部シャフト３２の所定位置に適宜装着されているが、他の位置に移動させることができる。これにより、搬送ローラ３３、３４を、パウチ１０１の開口部１０１ａを上下方向に撓み曲げ、パウチ１０１の挟持搬送に適した所定位置に移動させることができる。
【００２５】
また、本実施形態においては、上部搬送ローラ３３、下部搬送ローラ３４を、外周面に弾性材質（環状押圧部）を使用したディスク状ローラとし、押圧、挟持搬送してパウチ１０１の開口部１０１ａを撓み曲げてもよい。
【００２６】
さらに、本実施形態においては、パウチ１０１の開口部１０１ａを押圧による上下方向の撓み曲げ、パウチ１０１の挟持搬送は、図３、図４に示すように、３つの上部搬送ローラ３３及び２つの下部搬送ローラ３４で１袋のパウチに対して行われ、パウチの開口装置９としては３袋に対して行われているが、上記した上部搬送ローラ３３及び下部搬送ローラ３３の数は、パウチ１０１のサイズ（搬送方向と直交方向の長さ）に対応させて適宜変更することができる。
【００２７】
このように、本実施形態に係るパウチの開口装置９によれば、パウチ１０１を搬送し、パウチ１０１の開口部１０１ａを押圧し、撓み曲げて挟持搬送することにより、パウチ１０１の表側フィルム１０１ｅと裏側フィルム１０１ｆとにズレを生じさせて開口し、パウチの開口部１０１ａの密着を取り除くことができる。このため、パウチへの内容物の充填時において、開口部１０１ａの開口性の低下、開口不良の発生を防止することができ、また、パウチ１０１の開口部１０１ａの開口性の低下、開口不良の発生を防止するための手作業でもみほぐす、或いは他の手段を用いて取り除くといった多大な手間とコスト増を不要とすることができる。
【産業上の利用可能性】
【００２８】
以上、説明したように、本発明によれば、パウチを搬送し、表側フィルムと裏側フィルムとを溶着、切断して形成したパウチの開口部を押圧して撓み曲げるので、パウチの開口部の表側フィルムと裏側フィルムとにズレを生じさせて開口し、開口部の密着を取り除くことができるという効果を奏するので、パウチの開口部の密着を取り除くパウチの開口装置として有用である。
【符号の説明】
【００２９】
１        製袋装置
６        レザーカッター
８        シャーカッター
９        パウチの開口装置
１１      表側長尺フィルム
１２      裏側長尺フィルム
２０      搬送部
２１、２２  シャフト
２３、２４  搬送ローラ
２５    搬送ベルト
３０    撓み曲げ部
３１    上部シャフト
３２    下部シャフト
３３    上部搬送ローラ
３４    下部搬送ローラ
３５    弾性体リング（環状押圧部）
１０１    パウチ
１０１ａ  開口部
１０１ｄ  ノッチ
１０１ｅ  表側フィルム
１０１ｆ  裏側フィルム
【図１】
2017206292.tif 000003
【図２】
2017206292.tif 000004
【図３】
2017206292.tif 000005
【図４】
2017206292.tif 000006
【図５Ａ】
2017206292.tif 000007
【図５Ｂ】
2017206292.tif 000008